(57)【要約】      （修正有）【課題】過電圧に因ってヒューズが溶断しても自動的にヒューズの切替を行うことができ、装置電源が入力側、出力側いずれからも切替操作のできる装置を提供する。【解決手段】ＣＡＴＶ増幅器などの機器に接続する一対のヒューズ端子Ｆａ，Ｆｂと、該ヒューズ端子Ｆａ，Ｆｂに互いに並列に接続し、しかも、対応する駆動回路Ｍａ，Ｍｂ，Ｍｃ，Ｍｄによって閉じる複数個のヒューズ２ａ，２ｂ，２ｃ，２ｄと、前記各ヒューズ端子Ｆａ，Ｆｂの電圧の有無を検出する検出回路Ｄａ，Ｄｂと、該検出回路Ｄａ，Ｄｂから入力された電圧を判別して当段又は次段の前記駆動回路Ｍａ，Ｍｂ，Ｍｃ，Ｍｄを作動させる判別回路ｄを備えて成り、前記各ヒューズ端子Ｆａ，Ｆｂとアース端子間のそれぞれに互いに反対方向の整流回路Ｃａ，Ｃｂを装置し、該整流回路Ｃａ，Ｃｂを前記機器を備えた回路システムの電源に導通させる。【選択図】図２
2008147029.tif 000002
【特許請求の範囲】
【請求項１】
ＣＡＴＶ増幅器などの機器の回路に配置されたヒューズの一対のヒューズ端子に並列に接続し、しかも、対応する駆動回路によって前記ヒューズ端子間に接続される複数個のヒューズと、前記各ヒューズ端子とアース端子間の電圧の有無を検出する各検出回路と、該各検出回路からの信号によって当段又は次段の前記駆動回路を作動させる判別回路を備えて成り、前記各ヒューズ端子とアース端子間を電源として、該各ヒューズ端子のどちらからでも電源を取出せるようにそれぞれに整流回路を接続し、該各整流回路の出力を重ね合わせて回路システム用の電源としたヒューズ切替装置。
【発明の詳細な説明】
【技術分野】
【０００１】
本発明は、ＣＡＴＶ増幅器等落雷等の過電圧に因ってヒューズが遮断された際、用意してある次段のヒューズに自動的に切替えのできるヒューズ切替装置に関するものである。
【背景技術】
【０００２】
入力を内部回路に接続するための複数のヒューズを並列に装置し、当段のヒューズが過電圧等で遮断されると、これを検出して次段のヒューズに切替えるようにした構造のものは公知である（例えば、特許文献１）。
【０００３】
【特許文献１】特開平５−７５０３１号公報
【発明の開示】
【発明が解決しようとする課題】
【０００４】
前記従来構造のものは、装置の電源を入力側から取っているときの過電圧に対処するものであるが、例えば、ＣＡＴＶ増幅器を用いたシステムのように入力端子側からの電源を諸般の事情により出力端子側からの電源を取るように変更したとき、ヒューズ切替用の電源が取れなくなるため過電圧によってヒューズが溶断したとき、ヒューズ切替操作ができなくなる。そのため、電源の入力方向の変更がある都度、当該切替装置を取り替える必要がある。
【０００５】
本発明は、斯様な従来例の欠点に対処したヒューズ切替装置を提供すべく創案したものである。
【課題を解決するための手段】
【０００６】
ＣＡＴＶ増幅器などの機器に接続する一対のヒューズ端子と、該ヒューズ端子に互いに並列に接続し、しかも、対応する駆動回路によって閉じる複数個のヒューズと、前記各ヒューズ端子の電圧の有無を検出する検出回路と、該検出回路から入力された電圧を判別して当段又は次段の前記駆動回路を作動させる判別回路を備えて成り、前記各ヒューズ端子とアース端子間のそれぞれに互いに反対方向の整流回路を装置し、該整流回路を前記機器を備えた回路システムの電源に導通させた、構成としたことを基本的手段とする。
【発明の効果】
【０００７】
本発明によれば、落雷等による過電圧によってヒューズが溶断しても、次段のヒューズに自動的に切替えて、当該回路システムの遮断を防ぐことができることは勿論、切替えによる電源を当該回路システムの入力、出力からも取ることができるので、回路システムの変更に取替えの必要がなく対処でき、実用的である。
【実施例】
【０００８】
図面は本発明に係るヒューズ切替装置の一実施例を示し、図１は本発明のヒューズ切替装置を適用した切替器を組込んだＣＡＴＶ増幅器のブロック図、図２は切替器のブロック図である。
【０００９】
ＣＡＴＶ増幅器Ａは、ＣＡＴＶ用の高周波信号と増幅回路１などのシステムを動かすための電源を同軸ケーブルに重畳して送り込むようになっている。このため、増幅器Ａは、回路上、増幅すべき高周波信号用の回路と増幅回路１の電源のための回路とシステム後段のための電源のための回路に分かれ、増幅すべき高周波信号用の回路は、コンデンサＣ１を通じて増幅回路１に入り、コンデンサＣ２を通じて出力端子ｂに、入力端子ａからの高周波信号が出力するようになっている。
【００１０】
また、増幅回路１の電源のための回路は、チョークコイルＬ２とヒューズ装置２´を通じて電源回路３に入り、増幅回路１を動作させるようにしてある。
【００１１】
なお、コンデンサＣ１は高周波信号分だけを、また、チョークコイルＬ２は電源成分だけを通すから各回路は互いに干渉しない構成となっている。
【００１２】
そして、システム後段（増幅器Ａに接続した次段の増幅器などの諸種の機器）のための電源用回路は、電源成分だけチョークコイルＬ１とヒューズ切替器４を通じて出力端子ｂに出力してシステム後段に伝えるもので、実施例は、この電源用回路が落雷（過電圧の負荷）によって遮断されても（ヒューズが溶断しても）、自動的にヒューズを切替えて次段の装置を稼動させ、周辺地域の停電を防いで、システムが支障なく作動させるために前記ヒューズ切替器４を適用したのである。
【００１３】
ヒューズ切替器４は、ヒューズ端子Ｆａとヒューズ端子Ｆｂ間のヒューズを取り外して該ヒューズに替えて増幅器Ａに組込んだものであるが、すなわち、増幅器Ａのアルミダイキャスト製のケース（点線で示す）Ａ´に組込んだものであるが、ケースＡ´内に組込む必要はなく、ケースＡ´と別体のヒューズ切替器４体を形成し、該ヒューズ切替器４体を接続端子を用いるようにして組付けるようにしても良い。
【００１４】
実施例の場合は、ケースＡ´をアルミダイキャストで構成するものであるから導電性であり、前記の信号や電源のアース側となってアース端子Ｇを該ケースＡ´に接続し、アース端子Ｇと前記ヒューズ端子Ｆａ（又はＦｂ）間からヒューズ切替用の電源を取り出すようにしてある。
【００１５】
前記ヒューズ切替器４は、実施例の場合は、第一乃至第四の４個のヒューズ２ａ，２ｂ，２ｃ，２ｄを備えているが、基本的にはヒューズは複数個あれば良く、数が多いほど保守点検を簡略化できる。
【００１６】
各ヒューズ２ａ，２ｂ，２ｃ，２ｄはそれぞれ第一乃至第四のリレー接点６ａ，６ｂ，６ｃ，６ｄを通じて前記ヒューズ端子Ｆａ，Ｆｂに対して並列に接続され、装置作動初期状態時には、第一リレー接点６ａが閉じて第一ヒューズ２ａによって増幅器Ａの前記システム後段のための電源のための回路のヒューズとしている。
【００１７】
つまり、第一乃至第四の各ヒューズ２ａ，２ｂ，２ｃ，２ｄ（第一乃至第四の各リレー接点６ａ，６ｂ，６ｃ，６ｄ）は、前記の通りヒューズ切替器４のヒューズ端子Ｆａ，Ｆｂに並列にしてあるので、第一ヒューズ２ａが溶断すると、該第一ヒューズ２ａに対応する第一リレー接点６ａが開き、第二リレー接点２ｂに切り替って該接点６ａが閉じ、第一ヒューズ２ａに代って第二ヒューズ２ｂがＣＡＴＶ増幅器Ａのヒューズとなり、同様に、溶断に際し、第三、第四のヒューズ２ｃ，２ｄと切り替って前記のシステム回路が作動状態になり、第四のヒューズ２ｄが溶断したとき、回路はそのまま停止するようになっているが、第四ヒューズ２ｄの溶断前にすでに溶断した第一乃至第三のヒューズヒューズ２ａ，２ｂ，２ｃに新規のヒューズをそれぞれ装置して第四ヒューズ２ｄから新規の第一ヒューズ２ａに切り替えられるようにしても良いことは勿論である。
【００１８】
前記ヒューズ端子Ｆａ，Ｆｂにはそれぞれ検出回路Ｄａ又はＤｂを接続し、該検出回路Ｄａ，Ｄｂは対応するヒューズ端子Ｆａ又はＦｂの電圧の有無を検出してその結果を判別回路ｄに入力する。
【００１９】
判別回路ｄは前記リレー接点６ａ，６ｂ，６ｃ，６ｄのそれぞれの駆動回路Ｍａ，Ｍｂ，Ｍｃ，Ｍｄと検出回路Ｄａ，Ｄｂとの間に介在され、検出回路Ｄａ，Ｄｂからの、ヒューズ端子Ｆａ，Ｆｂの電圧の有無を入力し、その電圧がヒューズ端子Ｆａ，Ｆｂいずれか一方に有るとき又は無いときに、前記ヒューズヒューズ２ａ，２ｂ，２ｃ，２ｄ中の閉じた状態にあるヒューズに対応するリレー接点のいずれかの駆動回路Ｍａ又はＭｂ又はＭｃ又はＭｄに当該ヒューズは溶断したものとして当該駆動回路に対する出力を停止し、次段の駆動回路に信号を出力し、これを受けた次段の駆動回路は対応するリレー接点を閉じるようにしてある（判別回路ｄが第四ヒューズ２ｄが切れたものと判断したときは、判別回路ｄは駆動回路Ｍｄに対する出力を停止するだけで、前記の通り、第一リレー接点２ａに対応する第一駆動回路Ｍａに出力しない）。
【００２０】
なお、リレー接点６ａ，６ｂ，６ｃ，６ｄはそれぞれＬＥＤを備え、該ＬＥＤの点減により、その開閉状態を視認できるようにしてある（点灯しているときは当該リレー接点が閉じた状態にある）。
【００２１】
そして、ヒューズ切替器４の電源は、ヒューズ端子Ｆａ，Ｆｂとアース端子Ｇとの間に介在させた互いに反対方向の整流回路Ｃａ，Ｃｂと電圧安定化回路ｋを通じて得るようにしてあり、整流回路Ｃａ又はＣｂで取り出された電圧は電圧安定化回路ｋによって設定値の範囲に制御されて安定化する。
【００２２】
整流回路Ｃａ，Ｃｂをヒューズ端子Ｆａ側のものＣａと、ヒューズ端子Ｆｂ側のものＣｂとしたのは、本発明に係る切替器４を用いた増幅器Ａを備えたシステム用の電源が、入力端子ａでなく、出力端子ｂ側からも挿入されることがあるためで、入力端子ａを通じてＣＡＴＶ増幅器の入力であるヒューズ端子Ｆａからのみ電源をとるようにしていると、入力端子ｂを通じて電源をとるように変更したとき、ヒューズが切断したときヒューズ切替用の電源が取れなくなることを防ぐためで、入力端子ａ、出力端子ｂいずれかからの電源に対しても実施例の切替装置は作動する。
【００２３】
なお、実施例の判別回路ｄは、所謂マイコンを用いて実施したものであるが、該マイコン中に、ヒューズが切れた（溶断した）とき、しばらくして当段の駆動回路に代えて次段の駆動回路に切り替るようにプログラムしておけば、落雷によって過電圧が次々作用してのヒューズの溶断に対応することができる。
【００２４】
しかして、ＣＡＴＶ増幅器Ａの出力端子ｂ側から電源供給されて、第一リレー接点６ａが閉じてヒューズ２ａによってヒューズ端子Ｆａ，Ｆｂが接続され、増幅器が入力端子ａと出力端子ｂとによって回路システム中に組込まれて稼動状態にあるとき、入力端子ａ側の回路システム上に落雷があると、当該ヒューズ２ａは落雷による過電圧によって溶断し、入力端子ａ側の端子Ｆａの電圧がなく、切替装置の電源電圧が負荷しているヒューズ端子Ｆｂは電圧が有るものと検出回路Ｄａ又はＤｂが検知して判別回路ｄに出力し、判別回路ｄはその信号を受けて第一ヒューズ２ａは溶断したものと判断して第一ヒューズ２ａ側の駆動回路Ｍａに対する出力を停止し、次段の第二ヒューズ２ｂ側の駆動回路Ｍｂに信号を出して第二ヒューズ２ｂ側のリレー６ｂを閉じて回路システムの停止を阻止し、以下、同様に第三ヒューズ２ｃ、第四ヒューズ２ｄへと順次切り替り、ヒューズ溶断による回路システムの中断を防ぐのである。
【図面の簡単な説明】
【００２５】
【図１】本発明のヒューズ切替装置を適用した切替器を組込んだＣＡＴＶ増幅器のブロック図。
【図２】切替器のブロック図。
【符号の説明】
【００２６】
Ｆａ，Ｆｂ                  ヒューズ端子
２ａ，２ｂ，２ｃ，２ｄ      ヒューズ
Ｍａ，Ｍｂ，Ｍｃ，Ｍｄ      駆動回路
Ｄａ，Ｄｂ                  検出回路
ｄ                          判別回路
Ｇ                          アース端子
【図１】
2008147029.tif 000003
【図２】
2008147029.tif 000004